(57)【要約】【課題】内部の防音性を維持すると共に通信機器から発生する熱を外部に効率よく排出することが可能な通信用キャビネットを提供すること。【解決手段】ＶＤＳＬ装置４１及びＯＮＵ４２を収納する通信機器収納部１５と、内部に空気を導入する吸気口４Ａ及び外部に空気を排出する排気口５Ａとを有し、吸気口４Ａ及び通信機器収納部１５の間と、排気口５Ａ及び通信機器収納部１５の間とに、曲部を有する流路２６、３６がそれぞれ設けられている。【選択図】図７
2007214323.tif 000002
【特許請求の範囲】
【請求項１】
内部に通信機器が収納可能であり、該通信機器を介して外部からの信号を各戸へ分配する通信キャビネットであって、
前記通信機器を収納する通信機器収納部と、該通信機器収納部に気体を導入する吸気口及び前記通信機器収納部から気体を排出する排気口とを有し、
前記吸気口及び前記通信機器収納部の間と、前記排気口及び前記通信機器収納部の間とに、流路がそれぞれ設けられていることを特徴とする通信用キャビネット。
【請求項２】
前記流路の内の少なくとも一方に、曲部が少なくとも１つ設けられていることを特徴とする請求項１に記載の通信用キャビネット。
【請求項３】
前記流路の内面に、吸音部材が設けられていることを特徴とする請求項１または２に記載の通信用キャビネット。
【請求項４】
前記吸気口及び前記排気口の少なくとも一方が、防塵用のフィルタで被覆されていることを特徴とする請求項１から３のいずれか１項に記載の通信用キャビネット。
【請求項５】
前記通信機器収納部に、前記通信機器の一側面を前記通信機器収納部のうち前記流路との連結口が形成された内壁に密着させると共に前記流路を流通する前記気体を前記通信機器の内部に流通させる密着弾性部材が設けられていることを特徴とする請求項１から４のいずれか１項に記載の通信用キャビネット。
【請求項６】
前記流路の少なくとも一方に、前記気体の流通を促進させる送風部材が取り付け可能であることを特徴とする請求項１から５のいずれか１項に記載の通信用キャビネット。
【請求項７】
外表面の一部が、天井面に取り付けられることを特徴とする請求項１から６のいずれか１項に記載の通信用キャビネット。
【発明の詳細な説明】
【技術分野】
【０００１】
本発明は、例えば、ＶＤＳＬ（Very high-speed Digital Subscriber Line：超高速デジタル加入者線）装置などの通信機器が内部に設置される通信用キャビネットに関する。
【背景技術】
【０００２】
近年、光ファイバやＣＡＴＶ（Cable Television）に代表される高速の通信回線を用いたブロードバンドサービスが普及している。これは、加入者宅に光ファイバケーブルを施設するＦＴＴＨ（Fiber To The Home）方式によって構築されており、このようなブロードバンドサービスに加入することで、高速、大容量のブロードバンドサービスによる放送、映画、音楽などを視聴することが可能となる。しかし、一般的に既存のマンションや集合住宅において、加入者宅へ光ファイバケーブルを新たに敷設するには、配管やスペース確保、工事面で困難が伴うため、経路の一部に光ファイバケーブルを用いて既存の電話回線またはＬＡＮ（Local Area Network）用メタル配線をそのまま使用することができるＶＤＳＬ方式を用いることが主流となりつつある。
【０００３】
これは、マンションや集合住宅の共用部分に、ＶＤＳＬ装置や光信号を電気信号に変換すると共に電気信号を光信号に変換するＯＮＵ（Optical Network Unit：光加入者終端装置）などの通信機器を備えたキャビネットを設置し、このキャビネットを介して光ファイバケーブルと既存の電話回線またはＬＡＮ用メタル配線とを接続するものである。
このような通信用キャビネットにおいても、天井面に取り付けることによって占有面積を小さくすることなく通行の妨害を除いたものが提案されている（例えば、特許文献１参照）。この通信用キャビネットには、スリット状の通風口が適宜形成されており、通信機器の駆動によって発生した熱を通風口から外部に排出している。
【特許文献１】特開２００５−１２９７８７号公報
【発明の開示】
【発明が解決しようとする課題】
【０００４】
しかしながら、上記従来の通信用キャビネットでは、通風口を形成することで通信機器の駆動により発生した熱を外部に効率よく排出することができるが、通信機器の駆動音が外部に漏れる場合や、雨や塵などが内部に吹き込む場合がある。そこで、通風口を塞いで密閉状態とすることでこれらを防止することが考えられるが、通信機器の駆動により発生した熱を外部に排出することが困難となる。
【０００５】
本発明は、前述の課題に鑑みてなされたもので、内部の防音性を維持すると共に通信機器から発生する熱を外部に効率よく排出することが可能な通信用キャビネットを提供することを目的とする。
【課題を解決するための手段】
【０００６】
本発明は、前記課題を解決するために以下の構成を採用した。すなわち、本発明の通信用キャビネットは、内部に通信機器が収納可能であり、該通信機器を介して外部からの信号を各戸へ分配する通信キャビネットであって、前記通信機器を収納する通信機器収納部と、該通信機器収納部に気体を導入する吸気口及び前記通信機器収納部から気体を排出する排気口とを有し、前記吸気口及び前記通信機器収納部の間と、前記排気口及び前記通信機器収納部の間とに、流路がそれぞれ設けられていることを特徴とする。
【０００７】
この発明では、吸気口及び排気口によって通信機器収納部が外部と接続されることで通信機器から発生した熱を外部に排出することができ、流路を設けることで通信機器の駆動音が外部に漏れにくくなると共に雨や塵などが通信機器収納部に吹き込むことを防止する。
すなわち、流路を設けることで、通信機器から発生した駆動音が、吸気口や排気口に向けて直接伝播せずに、流路の内面で反射する。この流路の内面における反射時に、駆動音が減衰される。また、通信機器収納部と吸気口や排気口とを直接接続することと比較して、流路が長くなることによっても、駆動音が流路の内面において反射する回数が多くなることから、吸気口や排気口から漏出する駆動音を減衰できる。
また、吸気口や排気口から内部空間に向けて雨や塵などが吹き込んでも、通信機器収納部に直接到達することなく流路の内面で阻害されやすくなる。これにより、雨や塵などが通信機器収納部に到達しにくくなる。
以上より、内部の防音性や防水性、防塵性を維持すると共に通信機器から発生する熱を外部に効率よく排出することができる。
【０００８】
また、本発明の通信用キャビネットは、前記流路の内の少なくとも一方に、曲部が少なくとも１つ設けられていることが好ましい。
この発明では、流路に曲部を設けることで、直線状の流路で接続することと比較して流路が長くなることにより、駆動音が流路の内面において反射する回数が多くなることから、吸気口や排気口から漏出する駆動音をより減衰できる。また、流路に曲部を設けることで、雨や塵などが通信機器収納部により到達しにくくなる。
【０００９】
また、本発明の通信用キャビネットは、前記流路の内面に、吸音部材が設けられていることが好ましい。
この発明では、流路内を伝播する駆動音が流路の内面で反射する際に吸音部材で吸収されるので、吸気口や排気口から漏出する駆動音をより確実に減衰できる。
【００１０】
また、本発明の通信用キャビネットは、前記吸気口及び前記排気口の少なくとも一方に、防塵用のフィルタが設けられていることが好ましい。
この発明では、フィルタによって吸気口や排気口から流路内に塵などが吹き込みにくくなる。
【００１１】
また、本発明の通信用キャビネットは、前記通信機器収納部に、前記通信機器の一側面を前記通信機器収納部のうち前記流路との連結口が形成された内壁に密着させると共に前記流路を流通する前記気体を前記通信機器の内部に流通させる密着弾性部材が設けられていることが好ましい。
この発明では、通信機器を通信機器収納部のうち流路との連結口が形成された側壁に密着させることで、流路と通信機器内部との間で気体漏れが低減される。これにより、通信機器から発生する熱を外部により効率よく排出することができる。
【００１２】
また、本発明の通信用キャビネットは、前記流路の少なくとも一方に、前記気体の流通を促進させる送風部材が取り付け可能であることが好ましい。
この発明では、送風部材を取り付けることで流路中の気体の流通を促進させ、通信機器から発生した熱を効率よく排出することができる。
【００１３】
また、本発明の通信用キャビネットは、外表面の一部が、天井面に取り付けられることとしてもよい。
この発明では、天井面に取り付けることによって占有面積を小さくすることなく通行の妨害を除くことができる。
【発明の効果】
【００１４】
本発明の通信用キャビネットによれば、吸気口及び排気口と通信機器収納部とを接続するそれぞれの流路に曲部を少なくとも１つ設けることで、通信機器から発生した熱を外部に排出することができ、通信機器の駆動音を外部に漏れにくくすると共に雨や塵などが通信機器収納部に吹き込むことを防止する。
【発明を実施するための最良の形態】
【００１５】
以下、本発明にかかる通信キャビネット装置の一実施形態を、図を参照しながら説明する。ここで、図１は本実施形態における通信用キャビネットの概略斜視図及び概略分解斜視図、図２は筐体本体の概略斜視図、図３は通信用キャビネットの部分拡大断面図、図４は密着弾性部材の概略斜視図、図５及び図６は流路部材の概略断面図、図７は通信用キャビネットのエアフローの説明図を示している。
【００１６】
本実施形態における通信用キャビネット（以下、キャビネットと省略する）１は、例えば、ＶＤＳＬ（Very high-bit-rate Digital Subscriber Line：超高速デジタル加入者線）方式で用いる通信機器を内部に設置可能な通信用キャビネットであって、マンションや集合住宅などの共用部分の天井面に設置されるものである。
このキャビネット１は、図１から図５に示すように、ほぼ箱状の筐体本体２と、この筐体本体２の開口部を覆う蓋体３と、筐体本体２の左右両側面にそれぞれ取り付けられた流路部材４、５とを備えている。なお、本実施形態において、図１に示す＋Ｘ側を前方、＋Ｙ側を右方、＋Ｚ側を上方とする。
そして、キャビネット１には、図５（ａ）、（ｂ）に示す通信機器部６とこの通信機器部６に電力を供給するタップ（図示略）とが設けられている。
【００１７】
筐体本体２は、図１（ａ）、（ｂ）及び図２に示すように、前面及び底面に開口を有するほぼ箱状の部材であり、矩形に組み立てられる天板１１、右側板１２、左側板１３及び後側板１４によって構成されている。そして、筐体本体２は、蓋体３により開口部を覆うことで内部に通信機器部６を収容する通信機器収納部１５を形成する。
【００１８】
天板１１は、矩形状を有した板部材であって、キャビネット１の上面全体を覆っており、取付金具（図示略）を用いて天井面に取り付けられている。
【００１９】
右側板１２には、流路部材４に形成された後述する連結口２３Ａ、２３Ｂに対応する位置にそれぞれ連結口１２Ａ、１２Ｂが形成されている。
連結口１２Ａは、右側板１２の前方側に形成された矩形状の開口によって構成されている。
また、連結口１２Ｂは、右側板１２の後方側の上端に形成された開口によって構成されている。
【００２０】
また、右側板１２には、連結口１２Ａを覆うように密着用板バネ（密着弾性部材）１６が設けられている。
この密着用板バネ１６は、図３（ａ）、（ｂ）及び図４に示すように、板状部材を屈曲させたものであって、装置当接部１６Ａと装置当接部１６Ａの両端にそれぞれ設けられた屈曲部１６Ｂ、１６Ｃと、屈曲部１６Ｂ、１６Ｃにそれぞれ連続して設けられた側板当接部１６Ｄ、１６Ｅとを備えている。
装置当接部１６Ａは、後述するＶＤＳＬ装置４１の右側面が当接され、ほぼ中央部であって連結口１２Ａと対応する位置に開口１６Ｆが形成されており、右側板１２と平行となるような構成となっている。また、装置当接部１６Ａの両側面にはゴムシート（図示略）が貼着されており、上記ＶＤＳＬ装置４１や右側板１２との密着性を向上させている。
屈曲部１６Ｂ、１６Ｃは、装置当接部１６Ａの両端部から離間するにしたがって右側板１２に接近するように屈曲させることによって形成されている。
側板当接部１６Ｄ、１６Ｅは、右側板１２と平行となるような構成となっており、右側板１２にネジ止め固定されている。また、側板当接部１６Ｅに形成されたネジ止め用の穴は長穴となっており、側板当接部１６Ｅが側板当接部１６Ｄに対して前後に移動可能となっている。
【００２１】
したがって、密着用板バネ１６は、図３（ｂ）に示すように右側板１２にネジ止めされた後、ＶＤＳＬ装置４１を装置当接部１６Ａに当接させて押し込むと、図３（ａ）に示すように屈曲部１６Ｂ、１６Ｃが弾性変形して側板当接部１６Ｅが前方に移動すると共に装置当接部１６Ａが右側板１２に向けて移動する。そして、ＶＤＳＬ装置４１と右側板１２とが、密着用板バネ１６の弾性力によって密着する。これにより、ＶＤＳＬ装置４１の右側面と右側板１２との間に間隙が形成されても、ＶＤＳＬ装置４１が密着用板バネ１６によって右側板１２に密着し、連結口１２ＡとＶＤＳＬ装置４１の右側面との間の気体漏れが抑制される。
【００２２】
左側板１３には、図１及び図２に示すように、流路部材５に形成された後述する連結口３３Ａ、３３Ｂに対応する位置にそれぞれ連結口１３Ａ、１３Ｂが形成されている。
連結口１３Ａは、連結口１２Ａと同様に、左側板１３の前方側に形成された矩形状の開口によって構成されている。
また、連結口１３Ｂは、連結口１３Ｂと同様に、左側板１３の後方側の上端に形成された開口によって構成されている。
また、左側板１３にも、右側板１２と同様に、上述した密着用板バネ１６がネジ止め固定されている。
【００２３】
後側板１４には、図２に示すように、図示しない光ファイバケーブルやメタルケーブルを導入出させるためのケーブル導入出口１４Ａが形成されている。そして、このケーブル導入出口１４Ａにはゴムシート１４Ｂが張設されており、上記各ケーブルを導入出する際にこのゴムシート１４Ｂに切り込みを入れることによって筐体本体２の内部にケーブルを導入できるように構成されている。
【００２４】
蓋体３は、図１及び図２に示すように、Ｌ字状に屈曲して形成されており、筐体本体２の開口部を覆ったときに天板１１と対向配置される底面部１７と、後側板１４と対向配置される前面部１８とによって構成されている。
底面部１７は、後側板１４と抜差し蝶番（図示略）によって固定されており、この蝶番により後側板１４側の端辺を軸として回動可能となっている。
前面部１８の左右両側縁部には、鍵穴（図示略）が設けられている。そして、この鍵穴に鍵（図示略）を差し込んで旋回させることにより前面部１８の両側縁からロック板片（図示略）が突出する構成となっている。これにより、前面部１８は、鍵を旋回してロック板片を突出させることで、右側板１２と左側板１３とにそれぞれ形成されたロック用スリット（図示略）に係止するよう構成となっている。
以上より、筐体本体２の開口部を蓋体３で覆った場合、通信機器収納部１５は、連結口１２Ａ、１２Ｂ、１３Ａ、１３Ｂを除いて通風口が形成されていない。
【００２５】
流路部材４は、図１（ａ）、（ｂ）に示すように、中空の直方体形状を有しており、筐体本体２の右側板１２にネジ止め固定されている。
また、図３（ａ）に示すように、流路部材４の内部には、仕切板２１が設けられている。この仕切板２１は、流路部材４の左右幅方向にわたって設けられており、流路部材４の内部空間を前方側の空間と後方側の空間との独立した２つの空間に分割している。
【００２６】
そして、図５（ａ）、（ｂ）に示すように、流路部材４の右側面には、外部から流路部材４の前方側の内部空間に空気（気体）を送り込むための吸気口４Ａが形成されている。
この吸気口４Ａは、流路部材４の右側面の前方側の上端に形成された開口によって構成されている。また、吸気口４Ａは、防塵用であって交換可能なフィルタ２２によって覆われている。
【００２７】
また、流路部材４の左側面には、連結口２３Ａ、２３Ｂが形成されている。
この連結口２３Ａは、左側面の前方側に形成された矩形状の開口によって構成されている。そして、連結口２３Ａは、流路部材４の前方側の内部空間から通信機器収納部１５に空気を送り出す構成となっている。
また、連結口２３Ｂは、左側面の後方側の上端に形成された開口によって構成されている。
流路部材４は、連結口２３Ａの周囲であって筐体本体２の外部側にゴムリング２４を配置した状態で、連結口２３Ａと筐体本体２の右側板１２に形成された連結口１２Ａとが一致するように左側面を筐体本体２の右側板１２に当接させてネジ止め固定される。このように、連結口２３Ａと連結口１２Ａとの間にゴムリング２４を介在させた状態で流路部材４を筐体本体２に固定することで、連結口２３Ａと連結口１２Ａとが密着され、流路部材４の前方側の内部空間から通信機器収納部１５への空気の流通時における空気漏れを防止できる。
【００２８】
また、流路部材４の前方側の内部空間には、流路形成板２５Ａ、２５Ｂが設けられており、これら流路形成板２５Ａ、２５Ｂによって流路２６が形成されている。
流路形成板２５Ａは、流路部材４の前方側の内部空間の前後方向の前方から仕切板２１の前方側の側面にわたって天面から底面に向けて突出するように設けられており、底面側の端辺と底面との間に空隙が形成されている。
また、流路形成板２５Ｂは、流路形成板２５Ａと同様に、流路部材４の前方側の内部空間の前方から仕切板２１の前方側の側面にわたって底面から天面に向けて突出するように設けられており、天面側の端辺と底面との間に空隙が形成されている。
【００２９】
したがって、流路２６は、流路形成板２５Ａと底面との間に形成された空隙によって構成される曲部２６Ａと、流路形成板２５Ｂと天面との間に形成された空隙によって構成される曲部２６Ｂとを有しており、図５（ｂ）に示すように、２つの曲部２６Ａ、２６Ｂにおいて折り曲げられたほぼＺ字状の流路となっている。そして、流路２６は、吸気口４Ａから流路部材４の内部に空気を取り込み、取り込んだ空気を流路形成板２５Ａと右側面との間で底面に向けて下降させ、曲部２６Ａを経た後で流路形成板２５Ａ、２５Ｂの間で天面に向けて上昇させ、曲部２６Ｂを経た後で流路形成板２５Ｂと左側板との間で底面に向けて下降させ、連結口２３Ａから連結口１２Ａを介して通信機器収納部１５へ送り出す構造となっている。
【００３０】
また、流路２６を形成する流路形成板２５Ａ、２５Ｂの表面や流路部材４の内側面には、吸音部材（図示略）が貼着されている。この吸音部材は、例えばウレタンの繊維などをシート状にすることによって形成されており、内部に多数の空隙を有することによって音波を吸収する。
なお、流路２６中には、空気の流通を促進させるファンなどの送風部材が取り付け可能となっている。
以上より、流路部材４は、吸気口４Ａや連結口２３Ａ、２３Ｂを除いて通風口が形成されていない。
【００３１】
流路部材５は、図１（ａ）、（ｂ）に示すように、流路部材４と同様に、中空の直方体形状を有しており、筐体本体２の左側板１３にネジ止め固定されている。
また、図６（ａ）に示すように、流路部材５の内部には、仕切板３１が設けられている。この仕切板３１は、流路部材５の左右幅方向にわたって設けられており、流路部材５の内部空間を前方側の空間と後方側の空間との独立した２つの空間に分割している。
【００３２】
そして、図６（ａ）、（ｂ）に示すように、流路部材５の左側面には、流路部材５の前方側の空間から外部に空気を送り出すための排気口５Ａが形成されている。
この排気口は、流路部材５の左側面の前方側の上端に形成された開口によって構成されている。また、排気口５Ａは、吸気口４Ａと同様にフィルタ３２によって覆われている。
【００３３】
また、流路部材５の右側面には、連結口３３Ａ、３３Ｂが形成されている。
この連結口３３Ａは、右側面の前方側に形成された矩形状の開口によって構成されている。そして、連結口３３Ａは、通信機器収納部１５から流路部材５の前方側の内部空間に空気を送り込む構成となっている。
また、連結口３３Ｂは、右側面の後方側の上端に形成された開口によって構成されている。そして、連結口３３Ｂは、通信機器収納部１５と流路部材５の後方側の内部空間との間で空気の流通を可能としている。
流路部材５は、連結口３３Ａの周囲であって筐体本体２の外部側にゴムリング３４を配置した状態で、連結口３３Ａと筐体本体２の左側板１３に形成された連結口１３Ａとが一致するように左側面を筐体本体２の左側板１３に当接させてネジ止め固定される。
【００３４】
また、流路部材５の前方側の内部空間には、流路形成板３５Ａ、３５Ｂが設けられており、これら流路形成板３５Ａ、３５Ｂによって流路３６が形成されている。
流路形成板３５Ａは、流路部材５の前方側の内部空間の前方から仕切板３１の前方側の側面にわたって底面から天面に向けて突出するように設けられており、天面側の端辺と底面との間に空隙が形成されている。
また、流路形成板３５Ｂは、流路形成板３５Ａと同様に、流路部材５の前方側の内部空間の前後方向の前方から仕切板３１の前方側の側面にわたって天面から底面に向けて突出するように設けられており、底面側の端辺と底面との間に空隙が形成されている。
【００３５】
したがって、流路３６は、流路形成板３５Ａと天面との間に形成された空隙によって構成される曲部３６Ａと、流路形成板３５Ｂと底面との間に形成された空隙によって構成される曲部３６Ｂとを有しており、図６（ｂ）に示すように、２つの曲部３６Ａ、３６Ｂにおいて折り曲げられたほぼＺ字状の流路となっている。そして、流路３６は、連結口３３Ａから通信機器収納部１５内の空気を取り込み、取り込んだ空気を流路形成板３５Ａと右側板との間で天面に向けて上昇させ、曲部３６Ａを経た後で流路形成板３５Ａ、３５Ｂの間で底面に向けて下降させ、曲部３６Ｂを経た後で流路形成板３５Ｂと左側板との間で天面に向けて上昇させ、排気口５Ａから外部に送り出す構造となっている。
【００３６】
また、流路部材５の後側面には、放熱口５Ｂが形成されている。この放熱口５Ｂは、後側面の上端に形成された開口によって構成されている。また、放熱口５Ｂは、吸気口４Ａ及び排気口５Ａと同様に、フィルタ３８によって覆われている。そして、放熱口５Ｂは、流路部材５の後方側の内部空間とキャビネット１の外部との間で空気の流通を可能としている。すなわち、流路部材５の後方側の内部空間には、流路３６と独立した副流路３９が形成されている。
【００３７】
また、流路３６を形成する流路形成板３５Ａ、３５Ｂの表面や流路部材５の内側面には、流路２６と同様に、吸音部材（図示略）が貼着されている。
なお、流路３６中には、流路３６と同様に、空気の流通を促進させるファンなどの送風部材が取り付け可能となっている。
以上より、流路部材５は、排気口５Ａや放熱口５Ｂ、連結口３３Ａ、３３Ｂを除いて通風口が形成されていない。
【００３８】
通信機器部６は、図７（ａ）、（ｂ）に示すように、筐体本体２の通信機器収納部１５に配置されており、ＶＤＳＬ装置（通信機器）４１とＯＮＵ（通信機器）４２とを備えている。
ＶＤＳＬ装置４１は、マンションや集合住宅にあらかじめ設けられている電話回線用のメタル屋内配線やＬＡＮ（Local Area Network）用のメタルケーブル配線を用いてＬＡＮを構築する装置である。
そして、ＶＤＳＬ装置４１は、メタルケーブルを介してキャビネット１の外部との間で電気信号の送受信を行う構成となっている。また、ＶＤＳＬ装置４１は、ＯＮＵ４２との間で信号を送受信するように構成されている。
【００３９】
このＶＤＳＬ装置４１は、その外形が扁平の直方体形状を有しており、左右両側面にそれぞれ内部への吸気や外部への排気を行うためのスリット（図示略）が形成されている。そして、ＶＤＳＬ装置４１の内部の右側面の近傍には、内部に空気を取り込んで強制的に空冷するためのファン４３が設けられている。
また、ＶＤＳＬ装置４１は、通信機器収納部１５において左右両側面に形成された上記スリットが連結口１２Ａ、１３Ａにそれぞれ臨むように配置されている。ここで、ＶＤＳＬ装置４１は、連結口１２Ａ、１３Ａの周囲であって筐体本体２の内部側にそれぞれ設けられた密着用板バネ１６を介在させた状態で左右両側面が右側板１２及び左側板１３にそれぞれ当接するように配置されている。
【００４０】
ＯＮＵ４２は、光ファイバケーブルを介してキャビネット１の外部との間で光信号の送受信を行う構成となっている。
このＯＮＵ４２は、その外形が扁平の直方体形状を有しており、通信機器収納部１５においてＶＤＳＬ装置４１と空隙を開けて配置されている。ここで、ＯＮＵ４２は、右側板１２及び左側板１３と接触しない位置に配置されている。
このようにＶＤＳＬ装置４１及びＯＮＵ４２が配置されることによって、通信機器収納部１５には、筐体本体２の右側板１２に形成された連結口１２Ａから吸気し、ＶＤＳＬ装置４１の内部を経て連結口１３Ａから排出するエアフローと、連結口１２Ａから吸気してＶＤＳＬ装置４１の内部を経て連結口１３Ｂから排出するエアフローとが形成される。
なお、本実施形態では、通信機器部６が、ＶＤＳＬ装置４１及びＯＮＵ４２をそれぞれ１つずつ有しているが、加入者の回線数に応じて複数有する構成としてもよい。
また、上記タップは、雷害防御機能を有しており、通信機器収納部１５に設けられている。
【００４１】
以上のような構成のキャビネット１では、以下のようにして通信機器部６を構成するＶＤＳＬ装置４１及びＯＮＵ４２の空冷を行う。
まず、通信機器部６を駆動してＶＤＳＬ装置４１のファン４３を回転させると、図７（ａ）、（ｂ）に示す矢印Ｒ１のように、吸気口４Ａから流路２６内にキャビネット１外の空気が強制的に取り込まれる。そして、空気は、矢印Ｒ２のように流路形成板２５Ａと右側面との間で底面に向けて下降し、矢印Ｒ３のように曲部２６Ａを経た後で流路形成板２５Ａ、２５Ｂの間で天面に向けて上昇する。さらに、空気は、矢印Ｒ４のように曲部２６Ｂを経た後で流路形成板２５Ｂと左側板との間で底面に向けて下降し、連結口２３Ａから連結口１２Ａを介して通信機器収納部１５へ送り出される。ここで、ＶＤＳＬ装置４１と右側板１２との間に密着用板バネ１６が設けられているので、連結口１２ＡとＶＤＳＬ装置４１の右側面との間の気体漏れが抑制される。
【００４２】
ＶＤＳＬ装置４１は、連結口１２Ａから送り出された空気を吸気し、ＶＤＳＬ装置４１の内部を経て、取り込んだ空気の一部を連結口１３Ａから排出する。このとき、ＶＤＳＬ装置４１の駆動によって発生した熱が、ＶＤＳＬ装置４１の内部に空気を流通させることでＶＤＳＬ装置４１外に排出される。
ＶＤＳＬ装置４１から排出された空気は、矢印Ｒ５のように連結口１３Ａを介して連結口３３Ａに送り出され、流路３６内を流通する。すなわち、空気は、矢印Ｒ６のように流路形成板３５Ａと右側板との間で天面に向けて上昇し、矢印Ｒ７のように曲部３６Ａを経た後で流路形成板３５Ａ、３５Ｂの間で底面に向けて下降する。ここで、上述と同様に、ＶＤＳＬ装置４１と左側板１３との間にも密着用板バネ１６が設けられているので、連結口１３ＡとＶＤＳＬ装置４１の右側面との間の気体漏れが抑制される。
そして、空気は、曲部３６Ｂを経た後で流路形成板３５Ｂと左側板との間で天面に向けて上昇し、矢印Ｒ８のように排気口５Ａからキャビネット１外に排出される。
【００４３】
また、ＶＤＳＬ装置４１の発熱により、通信機器収納部１５内には、空気が矢印Ｒ９に示すように連結口１３Ｂを経て連結口３３Ｂから副流路３９に排出されるエアフローが形成される。このとき、ＯＮＵ４２の駆動によって発生した熱が、通信機器収納部１５内に空気を流通させることでＯＮＵ４２外に排出される。
そして、連結口３３Ｂから排出された空気は、矢印Ｒ９のように副流路３９を流通した後、矢印Ｒ１０のように放熱口５Ｂからキャビネット１外に排出される。
以上のようにして、通信機器部６を構成するＶＤＳＬ装置４１及びＯＮＵ４２の空冷を行う。
【００４４】
ここで、ＶＤＳＬ装置４１及びＯＮＵ４２を駆動することにより、ファン４３の回転音などの駆動音が発生する。この駆動音は、流路２６、３６や副流路３９を通って吸気口４Ａや排気口５Ａ、放熱口５Ｂからキャビネット１外に向けて伝播される。しかし、流路２６、３６に曲部２６Ａ、２６Ｂ、３６Ａ、３６Ｂが設けられていることから、駆動音は、流路２６、３６内を伝播するときに各流路２６、３６の内面で反射し、この反射時に減衰する。また、流路２６、３６の内面に吸音部材が設けられていることによっても駆動音が減衰する。これにより、駆動音がキャビネット１の外部に漏れにくくなる。
また、吸気口４Ａや排気口５Ａからキャビネット１内に雨や塵などが吹き込んでも、流路２６、３６に曲部２６Ａ、２６Ｂ、３６Ａ、３６Ｂが設けられているので、雨や塵などが通信機器収納部１５に吹き込むことが防止される。このとき、吸気口４Ａや排気口５Ａ、放熱口５Ｂをフィルタ２２、３２、３８で覆うことで、雨や塵などの吹き込みがより確実に防止される。
【００４５】
続いて、本実施形態におけるキャビネット１を用いたネットワークの構成について、図８を参照しながら説明する。
内部に通信機器部６が収容されたキャビネット１は、図１に示すように、マンションや集合住宅などの共用部分の天井面に設置されている。また、共用部分の他の箇所には、端子盤５１やＭＤＦ（Main Distributing Frame：本配線盤）５２が配置されている。
ＶＤＳＬ装置４１はメタルケーブルを介してマンションや集合住宅の各加入者宅５３内に配置されたモデム５４に接続されており、このモデム５４がパーソナルコンピュータ５５や電話機５６に接続されている。また、ＶＤＳＬ装置４１は、メタルケーブルにより、端子盤５１を介して電話局５７内に配置された電話交換機５８に接続されている。
一方、ＯＮＵ４２は、光ケーブルにより、電話局５７内に配置されたＯＬＴ（Optical Line Terminal：光伝送路終端装置）５９に接続されており、このＯＬＴ５９がルータ６０を介してインターネットのネットワークに接続されている。
したがって、電話網は、加入者宅５３の電話機５６、モデム５４からキャビネット１内のＶＤＳＬ装置４１を経てＭＤＦ５２、電話交換機５８を経由することで構成されている。また、インターネット網は、パーソナルコンピュータ５５、モデム５４からキャビネット１内のＶＤＳＬ装置４１、ＯＮＵ４２を経てＯＬＴ５９、ルータ６０を経由することで構成されている。
【００４６】
このように構成されたキャビネット１によれば、吸気口４Ａ及び排気口５Ａと通信機器収納部１５とを接続するそれぞれの流路２６、３６に曲部２６Ａ、２６Ｂ、３６Ａ、３６Ｂを設けることで、ＶＤＳＬ装置４１及びＯＮＵ４２の駆動音を外部に漏れにくくすると共に雨や塵などが通信機器収納部１５に吹き込むことを防止すると共に、別途強制空冷を行うためのファンなどを設けることなくＶＤＳＬ装置４１及びＯＮＵ４２から発生した熱を外部に排出することができる。
また、流路２６、３６内を伝播する駆動音が流路の内面で反射する際に上記吸音部材で吸収されるので、吸気口４Ａや排気口５Ａ、放熱口５Ｂから漏出する駆動音をより確実に減衰できる。
さらに、フィルタ２２、３２、３８によって吸気口４Ａや排気口５Ａ、放熱口５Ｂから流路２６、３６や副流路３９内に塵などが吹き込みにくくなる。
また、ＶＤＳＬ装置４１が密着用板バネ１６によって右側板１２及び左側板１３に密着しているので、ＶＤＳＬ装置４１の右側面と右側板１２との間や左側面と左側板１３との間に間隙が形成されても、連結口１２Ａ、１３ＡとＶＤＳＬ装置４１の左右両側面との間の気体漏れが抑制される。
また、流路２６、３６にファンを取り付け可能とすることで流路２６、３６中の空気の流通を促進させ、ＶＤＳＬ装置４１及びＯＮＵ４２から発生した熱を効率よく排出することができる。
【００４７】
なお、本発明は上記実施形態に限定されるものではなく、本発明の趣旨を逸脱しない範囲において種々の変更を加えることが可能である。
例えば、上記実施形態では、キャビネットを天井面に取り付け固定しているが、キャビネットの取り付け位置は天井面に限らない。
また、流路が形成された流路部材を筐体本体とは別部材としているが、筐体本体に流路を形成し、一体化した構成としてもよい。
また、流路の２箇所に曲部を設けているが、少なくとも１箇所に曲部が設けられていればよく、流路における空気の流通が確保されていれば、３箇所以上であってもよい。さらに、図９（ａ）、（ｂ）に示すように、流路部材１０４、１０５のそれぞれに流路形成板を設けず、流路１２６、１３６に曲部を設けない構成のキャビネット１００としてもよい。
また、流路がほぼＺ字状の形状を有しているが、流路における空気の流通や駆動音の減衰が維持されれば、Ｚ字状に限らない。
また、流路の内面に吸音部材を貼着しているが、流路の内面における反射によって駆動音が十分に減衰できれば、吸音部材を設けなくてもよい。
また、密着用板バネを設けているが、流路とＶＤＳＬ装置との間で空気の流通が良好に行われれば、密着用板バネを設けなくてもよい。
また、流路にファンなどの送風部材を取り付け可能としているが、取り付け可能でなくてもよい。
また、副流路を設けているが、副流路を設けなくてもよい。
また、吸気口、排気口及び放熱口のそれぞれを防塵用のフィルタで覆っているが、いずれか１つを覆ってもよく、流路による通信機器収納部への防塵効果が維持されれば、フィルタで覆わなくてもよい。
また、ＶＤＳＬ装置の左右両側面を筐体本体の左右両側板にゴムリングを介して接触させているが、ＶＤＳＬ装置と筐体本体の左右両側板との間に空隙を形成してもよい。
【図面の簡単な説明】
【００４８】
【図１】本発明の一実施形態におけるキャビネットを示すもので、（ａ）は概略斜視図で、（ｂ）は概略分解斜視図である。
【図２】図１の筐体本体を示す概略斜視図である。
【図３】図１の筐体本体を示すもので、（ａ）は部分拡大断面図、（ｂ）はＶＤＳＬ装置の搭載前の部分拡大断面図である。
【図４】図３の密着用板バネを示す概略斜視図である。
【図５】図１の流路部材を示すもので、（ａ）は概略断面平面図、（ｂ）は（ａ）のＡ−Ａ矢視断面図である。
【図６】同様に、図１の流路部材を示すもので、（ａ）は概略断面平面図、（ｂ）は（ａ）のＢ−Ｂ矢視断面図である。
【図７】図１のキャビネットのエアフローを示す説明図である。
【図８】図１のキャビネットを用いたネットワークの構成図である。
【図９】本発明を適用可能な、他のキャビネットを示すのキャビネットの概略断面図である。
【符号の説明】
【００４９】
１、１００  キャビネット（通信用キャビネット）
４Ａ  吸気口
５Ａ  排気口
１２Ａ、１３Ａ  連結口
１６  密着用板バネ（密着弾性部材）
２２、３２、３８  フィルタ
２６、３６、１２６、１３６  流路
２６Ａ、２６Ｂ、３６Ａ、３６Ｂ  曲部
４１  ＶＤＳＬ装置（通信機器）
４２  ＯＮＵ（通信機器）
【図１】
2007214323.tif 000003
【図２】
2007214323.tif 000004
【図３】
2007214323.tif 000005
【図４】
2007214323.tif 000006
【図５】
2007214323.tif 000007
【図６】
2007214323.tif 000008
【図７】
2007214323.tif 000009
【図８】
2007214323.tif 000010
【図９】
2007214323.tif 000011